【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
動画像データ内の指定された位置のデータを読み出すデータ読み出し部と、フレーム内符号化された画像を検索するフレーム内符号化画像検索部と、圧縮された動画像を復号する動画像復号部を備え、高速再生時にフレーム内符号化されたフレーム及びそれに続くフレームを再生する動画像再生装置であって、再生速度が大きくなるほど、フレーム内符号化されたフレームに続くフレームの復号枚数又は再生枚数を少なくすることを特徴とする動画像再生装置。
【請求項２】
前記フレーム内符号化されたフレームに続くフレームが、双方向予測画像であった場合、それに続く片方向の予測画像も復号し、再生フレームは、再生速度により決定される所定の再生枚数のフレーム内符号化されたフレーム及びそれに続くフレームのみとすることを特徴とする請求項１記載の動画像再生装置。
【請求項３】
Ｍ倍速の高速再生を行なう場合に、再生するフレームの再生時間が、フレーム内符号化されたフレームを検索する時間間隔Ｓと再生速度Ｍから決まる時間Ｓ／Ｍ―Ｋ（但しＫは所定の定数）を超える場合にはそのフレームは復号せずに破棄することを特徴とする請求項１記載の動画像再生装置。
【請求項４】
Ｓ秒間隔でフレーム内符号化されたフレームを検索し所定の枚数を再生することを繰り返してＭ倍速で高速再生する動画像再生装置であって、表示フレームレートをＮフレーム／秒と設定した場合に、所定の枚数として（Ｓ×Ｎ）／Ｍ―Ｋ（但しＫは所定の定数）枚を設定することを特徴とする請求項１記載の動画像再生装置。
【請求項５】
動画像データ内の指定された位置のデータを読み出すデータ読み出し部と、フレーム内符号化された画像を検索するフレーム内符号化画像検索部と、圧縮された動画像を復号する動画像復号部と符号化レートを算出する符号化レート算出部を備え、高速再生時にフレーム内符号化されたフレーム及びそれに続くフレームを再生する動画像再生装置であって、再生対象となる動画像の符号化レートが大きくなるほど、フレーム内符号化されたフレームに続くフレームの復号枚数又は再生枚数を少なくすることを特徴とする動画像再生装置。
【請求項６】
動画像データ内の指定された位置のデータを読み出すデータ読み出し部と、フレーム内符号化された画像を検索するフレーム内符号化画像検索部と、圧縮された動画像を復号する動画像復号部と符号化レートを算出する符号化レート算出部を備え、高速再生時にフレーム内符号化されたフレーム及びそれに続くフレームを再生する動画像再生装置であって、再生対象となる動画像の符号化レートが大きくなるほど、フレーム内符号化されたフレームを検索する場合の時間間隔Ｓを大きくすることを特徴とする動画像再生装置。
【請求項７】
再生対象となる動画像の符号化レートが大きくなるほど、フレーム内符号化されたフレームに続くフレームの復号枚数又は再生枚数を多くすることを特徴とする請求項６記載の動画像再生装置。
【請求項８】
動画像データ内の指定された位置のデータを読み出すデータ読み出し部と、フレーム内符号化された画像を検索するフレーム内符号化画像検索部と、圧縮された動画像を復号する動画像復号部と、データの読み出し速度を測るためのデータ読み出し速度算出部を備え、高速再生時にフレーム内符号化されたフレーム及びそれに続くフレームを再生する動画像再生装置であって、データの読み出し速度が小さくなるほど、フレーム内符号化されたフレームに続くフレームの復号枚数又は再生枚数を少なくすることを特徴とする動画像再生装置。
【請求項９】
動画像データ内の指定された位置のデータを読み出すデータ読み出し部と、フレーム内符号化された画像を検索するフレーム内符号化画像検索部と、圧縮された動画像を復号する動画像復号部と、データの読み出し速度を測るためのデータ読み出し速度算出部を備え、高速再生時にフレーム内符号化されたフレーム及びそれに続くフレームを再生する動画像再生装置であって、データの読み出し速度が小さくなるほど、フレーム内符号化されたフレームを検索する場合の時間間隔Ｓを大きくすることを特徴とする動画像再生装置。
【請求項１０】
データの読み出し速度が小さくなるほど、フレーム内符号化されたフレームに続くフレームの復号枚数又は再生枚数を多くすることを特徴とする請求項９記載の動画像再生装置。
【手続補正２】
【補正対象書類名】明細書
【補正対象項目名】０００９
【補正方法】変更
【補正の内容】
【０００９】
本発明は、上記の問題を解決するために、第１の発明では、動画像データ内の指定された位置のデータを読み出すデータ読み出し部と、フレーム内符号化された画像を検索するフレーム内符号化画像検索部と、圧縮された動画像を復号する動画像復号部を備え、高速再生時にフレーム内符号化されたフレーム及びそれに続くフレームを再生する動画像再生装置であって、再生速度が大きくなるほど、フレーム内符号化されたフレームに続くフレームの復号枚数又は再生枚数を少なくすることを特徴とする。
【手続補正３】
【補正対象書類名】明細書
【補正対象項目名】００１０
【補正方法】変更
【補正の内容】
【００１０】
第２の発明では、ピクチャ構造に関わりなくフレーム内符号化されたフレーム及びそれに続くフレームを再生するために、前記フレーム内符号化されたフレームに続くフレームが、双方向予測画像であった場合、それに続く片方向の予測画像も復号し、再生フレームは、再生速度により決定される所定の再生枚数のフレーム内符号化されたフレーム及びそれに続くフレームのみとすることを特徴とする。
【手続補正４】
【補正対象書類名】明細書
【補正対象項目名】００１１
【補正方法】変更
【補正の内容】
【００１１】
第３の発明では、必要以上に復号してしまう問題を避けるため、Ｍ倍速の高速再生を行なう場合に、再生するフレームの再生時間が、フレーム内符号化されたフレームを検索する時間間隔Ｓと再生速度Ｍ倍から決まる時間Ｓ／Ｍ―Ｋ（但しＫは所定の定数）を超える場合にはそのフレームは復号せずに破棄することを特徴とする。
【手続補正５】
【補正対象書類名】明細書
【補正対象項目名】００１２
【補正方法】変更
【補正の内容】
【００１２】
第４の発明は最適な復号枚数を決定するものであり、Ｓ秒間隔でフレーム内符号化されたフレームを検索し所定の枚数を再生することを繰り返してＭ倍速で高速再生する動画像再生装置であって、表示フレームレートをＮフレーム／秒と設定した場合に、所定の枚数として（Ｓ×Ｎ）／Ｍ枚を設定することを特徴とする。
【手続補正６】
【補正対象書類名】明細書
【補正対象項目名】００１３
【補正方法】変更
【補正の内容】
【００１３】
符号化レートが大きくなるとデータの読み込み速度が十分でなくなることに対応するため、第５の発明では、動画像データ内の指定された位置のデータを読み出すデータ読み出し部と、フレーム内符号化された画像を検索するフレーム内符号化画像検索部と、圧縮された動画像を復号する動画像復号部と符号化レートを算出する符号化レート算出部を備え、高速再生時にフレーム内符号化されたフレーム及びそれに続くフレームを再生する動画像再生装置であって、再生対象となる動画像の符号化レートが大きくなるほど、フレーム内符号化されたフレームに続くフレームの復号枚数又は再生枚数を少なくすることを特徴とする。
【手続補正７】
【補正対象書類名】明細書
【補正対象項目名】００１４
【補正方法】変更
【補正の内容】
【００１４】
第５の発明と同様の効果を持つ発明として、第６の発明は、動画像データ内の指定された位置のデータを読み出すデータ読み出し部と、フレーム内符号化された画像を検索するフレーム内符号化画像検索部と、圧縮された動画像を復号する動画像復号部と符号化レートを算出する符号化レート算出部を備え、高速再生時にフレーム内符号化されたフレーム及びそれに続くフレームを再生する動画像再生装置であって、再生対象となる動画像の符号化レートが大きくなるほど、フレーム内符号化されたフレームを検索する場合の時間間隔Ｓを大きくすることを特徴とする。
第６の発明においてより滑らかに再生するために、第７の発明は、第６の発明に加え再生対象となる動画像の符号化レートが大きくなるほど、フレーム内符号化されたフレームに続くフレームの復号枚数又は再生枚数を多くすることを特徴とする。
【手続補正８】
【補正対象書類名】明細書
【補正対象項目名】００１５
【補正方法】変更
【補正の内容】
【００１５】
またデータの読み込み速度が十分でない場合に対応した第８の発明では、動画像データ内の指定された位置のデータを読み出すデータ読み出し部と、フレーム内符号化された画像を検索するフレーム内符号化画像検索部と、圧縮された動画像を復号する動画像復号部と、データの読み出し速度を測るためのデータ読み出し速度算出部を備え、高速再生時にフレーム内符号化されたフレーム及びそれに続くフレームを再生する動画像再生装置であって、データの読み出し速度が小さくなるほど、フレーム内符号化されたフレームに続くフレームの復号枚数又は再生枚数を少なくすることを特徴とする。
【手続補正９】
【補正対象書類名】明細書
【補正対象項目名】００１６
【補正方法】変更
【補正の内容】
【００１６】
第８の発明と同様の効果を持つ発明として、第９の発明は、動画像データ内の指定された位置のデータを読み出すデータ読み出し部と、フレーム内符号化された画像を検索するフレーム内符号化画像検索部と、圧縮された動画像を復号する動画像復号部と、データの読み出し速度を測るためのデータ読み出し速度算出部を備え、高速再生時にフレーム内符号化されたフレーム及びそれに続くフレームを再生する動画像再生装置であって、データの読み出し速度が小さくなるほど、フレーム内符号化されたフレームを検索する場合の時間間隔Ｓを大きくすることを特徴とする。
第９の発明においてより滑らかに再生するために、第１０の発明は、第９の発明に加えデータの読み出し速度が小さくなるほど、フレーム内符号化されたフレームに続くフレームの復号枚数又は再生枚数を多くすることを特徴とする。
【手続補正１０】
【補正対象書類名】明細書
【補正対象項目名】００３４
【補正方法】変更
【補正の内容】
【００３４】
次に表示制御部１０４の動作を説明する。図４(ｂ)の場合、まず、最初のＩピクチャから連続して復号された３フレームを、元の符号化データと同じフレームレートで再生する。図４(a)から元の符号化データのフレームレートは１０フレーム／秒であるから、図４(b)の最初の３枚は０．３秒で再生される。次に３枚目のフレームを０．２秒表示したままとする。さらに１秒後のＩピクチャから連続して復号された３フレームについても、３フレームを０．３秒で再生した後、３枚目のフレームを０．２秒表示したままとする。以降この動作を繰り返す。このようにすれば、元の符号化データで１秒分に相当する動画像を０．５秒で表示することになり、２倍速が実現できる。
【手続補正１１】
【補正対象書類名】明細書
【補正対象項目名】００４２
【補正方法】変更
【補正の内容】
【００４２】
次に、フレーム内符号化されたフレームを検索するときに必要なフレーム内符号化画像検索部１０５の動作を説明する。図７は、フレーム内画像検索部の第１の構成例である。この構成例では、フレーム内符号化画像検索部は、インデックスデータをデータから読み出すインデックスデータ読み出し部７０１と、読み出されたデータを保持するインデックスデータ保持部７０２と、インデックスデータを解析するインデックスデータ解析部７０３とから構成される。符号化データの中には、フレーム内符号化画像についてそのフレームの表示時刻と符号化データ内の位置を記録したインデックスと呼ばれるデータを持つものがある。
【手続補正１２】
【補正対象書類名】明細書
【補正対象項目名】００４５
【補正方法】変更
【補正の内容】
【００４５】
符号化データは、通常、そのフレームの表示時刻とピクチャ種別を示すフレームヘッダと、動画データそのもののフレームデータによって構成される。現在のフレームのＳ秒後の表示時刻を持つフレーム内符号化画像を検索する場合、現在のフレームに続くフレームのフレームヘッダを読み出し、そのフレームがフレーム内符号化画像であるかを解析する。フレーム内符号化画像であれば表示時刻と符号化データ内の位置を保持する。フレーム内符号化画像でなければ、次のフレームのフレームヘッダを読み出し、フレーム内符号化画像であるかを解析する。この動作を、所望の表示時刻となる、後の時刻のフレーム内符号化画像まで続ける。発見されたフレーム内符号化画像のうち、所望の表示時刻にあたるフレームの符号化データ内の位置を出力する。このとき所望の時刻に合致するフレームがない場合には、最も近い時刻のフレームを抜き出しても良いし、所望の時刻の直後のフレームを抜き出しても良い。
〔第２の実施形態〕
第２の実施形態の説明を行う前に、符号化データのフレームレートと高速再生の速度から、連続復号枚数を決定する手法について説明する。
【手続補正１３】
【補正対象書類名】明細書
【補正対象項目名】００５３
【補正方法】変更
【補正の内容】
【００５３】
〔第３の実施形態〕
次に、メディアからのデータの読み出し速度を直接測定する場合の例として第３の実施形態を説明する。
図９は本発明における第３の実施の形態を示すブロック図である。
新規に、データの読み出し速度を算出する読み出し速度算出部９０６が追加になっている点を除くと、第１の実施形態と同じ構成である。第２の実施形態と同様、Ｓ秒間隔毎のＩピクチャを検索しＩピクチャとそれに続くＸフレームを復号し、かつ、Ｍ倍速で再生する場合に、必要な読み出し速度はＲ×Ｍ×Ｘ／（Ｓ×Ｎ）ビット／秒になる。逆にデータの読み出し速度がＤと決まると、Ｄ  ≧  Ｒ×Ｍ×Ｘ／（Ｓ×Ｎ）を満たす必要がある。
【手続補正１４】
【補正対象書類名】図面
【補正対象項目名】図７
【補正方法】変更
【補正の内容】
【図７】
2005198012.tif 000001